(57)【要約】【課題】検証データの生成方法などを検証装置に通知できるようにする。【解決手段】撮像装置１０は、ユーザが設定した記録方式を判定する。ユーザが設定した記録方式がＪＰＥＧ方式である場合は、第１の生成方法に従い、ＪＰＥＧ画像データの検証データを生成する。そして、ＪＰＥＧ画像データ、ＪＰＥＧ画像データの検証データ、第１の生成方法を示すデータであるアルゴリズムデータ、検証データが対象とするデータ（ＪＰＥＧ画像データ）の所在を示すデータである位置データなどを含むＪＰＥＧ画像ファイルを生成する。【選択図】　図１
2004120117.tif 000002
【特許請求の範囲】
【請求項１】
画像データを生成する撮像手段と、
第１の生成方法または第２の生成方法に従って、前記画像データの改変の有無を検証するのに必要な検証データを生成する検証データ生成手段とを有し、
前記検証データの生成方法を示すデータを前記画像データに付加することを特徴とする撮像装置。
【発明の詳細な説明】
【０００１】
【発明の属する技術分野】
本発明は、撮像画像の画像データとその画像データの検証データとを生成する撮像装置に関するものである。
【０００２】
【従来の技術】
現在のデジタルカメラには、ＪＰＥＧ方式、ＲＡＷ方式などの記録方式を有するものがある。
ＪＰＥＧ方式は、撮像画像の画像データを複数の画像調整値に従って調整し、調整後の画像データをＪＰＥＧ圧縮方式に従って圧縮し、圧縮して得たＪＰＥＧ画像データをその付加データとともに記録する記録方式である。
ＲＡＷ方式は、撮像画像の画像データをロスレス圧縮方式に従って圧縮し、圧縮して得たＲＡＷ画像データをその付加データとともに記録する記録方式である。
【０００３】
【発明が解決しようとする課題】
撮像画像の画像データにその画像データの改変の有無を検証するのに必要な検証データを付加する場合、画像データの記録方式に応じて検証データの生成方法を選択できるにようした方がよい。
【０００４】
例えば、ＲＡＷ画像データは、ＪＰＥＧ画像データよりもデータ量が多いため、ＲＡＷ画像データの検証データを生成する方法は、ＪＰＥＧ画像データの検証データを生成する方法よりも高速であることが望ましい。
【０００５】
しかしながら、現在のデジタルカメラには、画像データの記録方式に応じて検証データの生成方法を選択できるものがなかった。
また、画像データの記録方式に応じて検証データの生成方法を選択できるようにした場合は、検証データの生成方法を検証装置に通知する必要がある。また、検証データが対象とするデータの所在を検証装置に通知する必要がある。
【０００６】
しかしながら、現在のデジタルカメラには、検証データの生成方法を検証装置に通知することができるものも、検証データが対象とするデータの所在を検証装置に通知することができるものもなかった。
【０００７】
本発明は、このような状況を鑑みてなされたものであり、検証データの生成方法などを検証装置に通知できるようにすることを目的とする。
【０００８】
【課題を解決するための手段】
本発明の撮像装置は、画像データを生成する撮像手段と、第１の生成方法または第２の生成方法に従って、前記画像データの改変の有無を検証するのに必要な検証データを生成する検証データ生成手段とを有し、前記検証データの生成方法を示すデータを前記画像データに付加することを特徴とする。
【０００９】
【発明の実施の形態】
以下、図１〜図８を参照し、本発明に好適な本実施の形態を説明する。
図１は、本実施の形態における撮像装置１０の主要な構成を示す図である。撮像装置１０は、イメージセンサを用いて被写体の画像データを生成する装置（例えば、デジタルカメラ、スキャナ、コピー機、デジタルカメラ付き携帯情報端末など）である。
【００１０】
図１において、撮像部１０１は、イメージセンサを用いて画像を撮像し、撮像した画像の画像データを生成するユニットである。撮像制御部１０２は、メイン制御部１１０からの指示に従って撮像部１０１の動作を制御するユニットである。撮像制御部１０２は、撮像部１０１で生成された画像データに関する様々な情報をメイン制御部１１０に提供する。
【００１１】
画像処理部１０３は、ユーザが設定した複数の画像調整値に従い、撮像部１０１から得た画像データ（未調整）のホワイトバランス、シャープネス、コントラスト、色の濃度、色合い、色空間、画質、及びサイズなどを調整するユニットである。
【００１２】
また、画像処理部１０３は、調整後の画像データを不可逆な画像圧縮方式（例えば、ＩＳＯ／ＩＥＣ　１０９１８−１規格に準拠したＪＰＥＧ圧縮方式）に従って圧縮したり、未調整の画像データをロスレス圧縮方式（画質の劣化のない画像圧縮方式）に従って圧縮したりするユニットでもある。
【００１３】
メモリ１０４は、様々なデータを記憶するメモリである。
メモリインターフェース部１０５は、メイン制御部１１０が指定した画像ファイルをリムーバブルメモリ１０６に書き込んだり、メイン制御部１１０が指定した画像ファイルをリムーバブルメモリ１０６から読み出したりするユニットである。リムーバブルメモリ１０６は、複数の画像ファイルの記憶が可能なものである。
【００１４】
ネットワークインターフェース部１０７は、メイン制御部１１０が指定した画像ファイルを外部装置１０８に送信するユニットである。
外部装置１０８は、撮像装置１０をリモートコントロールするアプリケーションプログラム、画像データの画質を複数の画像調整パラメータに従って調整するアプリケーションプログラムなどを有する装置である。
【００１５】
表示部１０９は、撮像部１０１で生成された画像データの縮小画像データ、リムーバブルメモリ１０６から読み出した画像ファイルの縮小画像データなどを表示するユニットである。また、表示部１０９は、選択画像に関する情報を表示するユニットでもある。
【００１６】
メイン制御部１１０は、撮像装置１０の様々な機能を制御するユニットである。ユーザインターフェース部１１１は、ユーザの指示をメイン制御部１１０に通知するユニットである。ユーザインターフェース部１１１は、撮像装置１０の電源をオンまたはオフにするスイッチである電源スイッチ、撮像処理の開始を指示するボタンであるシャッターボタン、撮像画像画像データの記録方式を選択するボタンである記録方式選択ボタン、及び複数の画像調整値を調整する調整パネルなどを有する。
【００１７】
図２〜図４は、本実施の形態における撮像装置１０の処理手順を示すフローチャートである。なお、図２〜図４に示す処理手順は、撮像装置１０のドライブモードが１コマ撮像モードである場合でも、連続撮像モードである場合でも実行可能である。ここで、１コマ撮像モードは、１つの画像データを生成して記録するドライブモードである。連続撮影モードは、複数の画像データを連続的に生成して記録するドライブモードである。
【００１８】
ステップＳ２０１：メイン制御部１１０は、ユーザが撮像処理の開始を指示したか否かを判定する。ユーザが撮像処理の開始を指示した場合はステップＳ２０２に進む。
【００１９】
ステップＳ２０２：メイン制御部１１０は、ユーザが設定した記録方式がＪＰＥＧ方式（第１の記録方式）であるか否か判定する。ＪＰＥＧ方式である場合はステップＳ２０４に進み、ＪＰＥＧ方式でない場合はステップＳ２０３に進む。
【００２０】
ステップＳ２０３：メイン制御部１１０は、ユーザが設定した記録方式がＲＡＷ方式（第２の記録方式）であるか否かを判定する。ＲＡＷ方式である場合は図３に示すステップＳ３０１に進み、ＲＡＷ方式でなくＲＡＷ＋ＪＰＥＧ方式（第３の記録方式）である場合は図４に示すステップＳ４０１に進む。
【００２１】
ステップＳ２０４：撮像部１０１は、イメージセンサを用いて画像を撮像し、撮像した画像の画像データを生成する。
ステップＳ２０５：画像処理部１０３は、ユーザが設定した複数の画像調整値に従い、ステップＳ２０４で生成された画像データ（未調整）のホワイトバランス、シャープネス、コントラスト、色の濃度、色合い、色空間、画質、サイズなどを調整する。
【００２２】
ステップＳ２０６：画像処理部１０３は、調整済みの画像データをＩＳＯ／ＩＥＣ　１０９１８−１規格に準拠したＪＰＥＧ圧縮方式に従って圧縮し、ＪＰＥＧ画像データを生成する。なお、本実施の形態では、調整済みの画像データをＪＰＥＧ圧縮方式に従って圧縮したが、不可逆な画像圧縮方式であれば他の画像圧縮方式（例えば、ＪＰＥＧ−２０００に準拠した画像圧縮方式）に置き換えることも可能である。
【００２３】
ステップＳ２０７：ＪＰＥＧ画像データの生成が終了した後、メイン制御部１１０は、第１の生成方法（図７を参照）に従い、ＪＰＥＧ画像データから検証データＡを生成する。ここで、検証データＡは、ＪＰＥＧ画像データの改変の有無を検証するのに必要なデータである。
【００２４】
さらに、メイン制御部１１０は、第１の生成方法（図７を参照）に従い、ＪＰＥＧ画像データの付加データから検証データＢを生成する。ここで、付加データは、ＪＰＥＧ画像データに関する様々な情報を含むデータである。
【００２５】
付加データは、撮像装置１０に固有の識別子を示すデバイスＩＤデータ、ＪＰＥＧ画像データの画質を示す画質データ、ＪＰＥＧ画像データのサイズを示すサイズデータなどを含む。検証データＢは、付加データの改変の有無を検証するのに必要なデータである。
【００２６】
ステップＳ２０８：検証データＡおよびＢの生成が終了した後、メイン制御部１１０は、ＪＰＥＧ画像データ、付加データ、アルゴリズムデータＡ、位置データＡ、検証データＡ、アルゴリズムデータＢ、位置データＢ、検証データＢなどを含むＪＰＥＧ画像ファイルを生成し、生成したＪＰＥＧ画像ファイルをメモリ１０４に書き込む。
【００２７】
ＪＰＥＧ画像ファイルの構成の一例を図５に示す。ここで、アルゴリズムデータＡは、検証データＡの生成方法（本実施の形態では、第１の生成方法）を示すデータである。アルゴリズムデータＡをＪＰＥＧ画像データに付加することにより、検証データＡの生成方法を検証装置に通知することができる。
【００２８】
位置データＡは、検証データＡが対象とするデータ（本実施の形態では、ＪＰＥＧ画像データ）の所在を示すデータである。位置データＡをＪＰＥＧ画像ファイルに付加することにより、検証データＡが対象とするデータの所在を検証装置に通知することができる。
【００２９】
アルゴリズムデータＢは、検証データＢの生成方法（本実施の形態では、第１の生成方法）を示すデータである。アルゴリズムデータＢをＪＰＥＧ画像データに付加することにより、検証データＢの生成方法を検証装置に通知することができる。
【００３０】
位置データＢは、検証データＢが対象とするデータ（本実施の形態では、ＪＰＥＧ画像データの付加データ）の所在を示すデータである。位置データＢをＪＰＥＧ画像ファイルに付加することにより、検証データＢが対象とするデータの所在を検証装置に通知することができる。
【００３１】
ステップＳ２０９：ＪＰＥＧ画像ファイルの生成が終了した後、メモリインターフェース部１０５は、そのＪＰＥＧ画像ファイルをメモリ１０４から読み出し、読み出したＪＰＥＧ画像ファイルをリムーバブルメモリ１０６に記録する。
【００３２】
ステップＳ３０１（図３）：撮像部１０１は、イメージセンサを用いて画像を撮像し、撮像した画像の画像データを生成する。
ステップＳ３０２：画像処理部１０３は、ステップＳ３０１で生成された画像データ（未調整）を画像劣化のない画像圧縮方式であるロスレス圧縮方式に従って圧縮し、ＲＡＷ画像データを生成する。
【００３３】
ステップＳ３０３：ＲＡＷ画像データの生成が終了した後、メイン制御部１１０は、第１の生成方法よりも高速な第２の生成方法（図８を参照）に従い、ＲＡＷ画像データから検証データＣを生成する。ここで、検証データＣは、ＲＡＷ画像データの改変の有無を検証するのに必要なデータである。
【００３４】
第２の生成方法は、検証データを生成する方法の一つであり、第１の生成方法で使用するハッシュ関数よりも高速なハッシュ関数を用いて対象データの検証データを生成する方法である。
【００３５】
さらに、メイン制御部１１０は、第１の生成方法よりも高速な第２の生成方法（図８を参照）に従い、ＲＡＷ画像データの付加データから検証データＤを生成する。ここで、付加データは、ＲＡＷ画像データに関する様々な情報を含むデータである。
【００３６】
付加データは、撮像装置１０に固有の識別子を示すデバイスＩＤデータなどを含む。検証データＤは、付加データの改変の有無を検証するのに必要なデータである。
【００３７】
ステップＳ３０４：検証データＣおよびＤの生成が終了した後、メイン制御部１１０は、ＲＡＷ画像データ、付加データ、画像調整データ、アルゴリズムデータＣ、位置データＣ、検証データＣ、アルゴリズムデータＤ、位置データＤ、検証データＤなどを含むＲＡＷ画像ファイルを生成し、生成したＲＡＷ画像ファイルをメモリ１０４に書き込む。
【００３８】
ＲＡＷ画像ファイルの構成の一例を図６に示す。ここで、画像調整データは、ＲＡＷ画像データを生成したときの画像調整値を示すデータである。アルゴリズムデータＣは、検証データＣの生成方法（本実施の形態では、第２の生成方法）を示すデータである。アルゴリズムデータＣをＲＡＷ画像ファイルに付加することにより、検証データＣの生成方法を検証装置に通知することができる。
【００３９】
位置データＣは、検証データＣが対象とするデータ（本実施の形態では、ＲＡＷ画像データ）の所在を示すデータである。位置データＣをＲＡＷ画像ファイルに付加することにより、検証データＣが対象とするデータの所在を検証装置に通知することができる。
【００４０】
アルゴリズムデータＤは、検証データＤの生成方法（本実施の形態では、第２の生成方法）を示すデータである。アルゴリズムデータＤをＲＡＷ画像ファイルに付加することにより、検証データＤの生成方法を検証装置に通知することができる。
【００４１】
位置データＤは、検証データＤが対象とするデータ（本実施の形態では、ＲＡＷ画像データの付加データ）の所在を示すデータである。位置データＤをＲＡＷ画像ファイルに付加することにより、検証データＤが対象とするデータの所在を検証装置に通知することができる。
【００４２】
ステップＳ３０５：ＲＡＷ画像ファイルの生成が終了した後、メモリインターフェース部１０５は、そのＲＡＷ画像ファイルをメモリ１０４から読み出し、読み出したＲＡＷ画像ファイルをリムーバブルメモリ１０６に記録する。
【００４３】
ステップＳ４０１（図４）：撮像部１０１は、イメージセンサを用いて画像を撮像し、撮像した画像の画像データを生成する。
ステップＳ４０２：画像処理部１０３は、ユーザが設定した複数の画像調整値に従い、ステップＳ４０１で生成された画像データ（未調整）のホワイトバランス、シャープネス、コントラスト、色の濃度、色合い、色空間、画質、サイズなどを調整する。
【００４４】
ステップＳ４０３：画像処理部１０３は、調整済みの画像データをＪＰＥＧ圧縮方式に従って圧縮し、ＪＰＥＧ画像データを生成する。
ステップＳ４０４：ＪＰＥＧ画像データの生成が終了した後、メイン制御部１１０は、第１の生成方法（図７を参照）に従い、ＪＰＥＧ画像データから検証データＡを生成する。ここで、検証データＡは、ＪＰＥＧ画像データの改変の有無を検証するのに必要なデータである。
【００４５】
さらに、メイン制御部１１０は、第１の生成方法（図７を参照）に従い、ＪＰＥＧ画像データの付加データから検証データＢを生成する。ここで、付加データは、ＪＰＥＧ画像データに関する様々な情報を含むデータである。
【００４６】
付加データは、撮像装置１０に固有の識別子を示すデバイスＩＤデータ、ＪＰＥＧ画像データの画質を示す画質データ、ＪＰＥＧ画像データのサイズを示すサイズデータなどを含む。検証データＢは、付加データの改変の有無を検証するのに必要なデータである。
【００４７】
ステップＳ４０５：検証データＡおよびＢの生成が終了した後、メイン制御部１１０は、ＪＰＥＧ画像データ、付加データ、アルゴリズムデータＡ、位置データＡ、検証データＡ、アルゴリズムデータＢ、位置データＢ、検証データＢなどを含むＪＰＥＧ画像ファイルを生成し、生成したＪＰＥＧ画像ファイルをメモリ１０４に書き込む。ＪＰＥＧ画像ファイルの構成の一例を図５に示す。
【００４８】
ステップＳ４０６：画像処理部１０３は、ステップＳ４０１で生成された画像データ（未調整）をロスレス圧縮方式に従って圧縮し、ＲＡＷ画像データを生成する。
【００４９】
ステップＳ４０７：ＲＡＷ画像データの生成が終了した後、メイン制御部１１０は、第１の生成方法よりも高速な第２の生成方法（図８を参照）に従い、ＲＡＷ画像データから検証データＣを生成する。
【００５０】
ここで、検証データＣは、ＲＡＷ画像データの改変の有無を検証するのに必要なデータである。第２の生成方法は、検証データを生成する方法の一つであり、第１の生成方法で使用するハッシュ関数よりも高速なハッシュ関数を用いて対象データの検証データを生成する方法である。
【００５１】
さらに、メイン制御部１１０は、第１の生成方法よりも高速な第２の生成方法（図８を参照）に従い、ＲＡＷ画像データの付加データから検証データＤを生成する。ここで、付加データは、ＲＡＷ画像データに関する様々な情報を含むデータである。
【００５２】
付加データは、撮像装置１０に固有の識別子を示すデバイスＩＤデータなどを含む。検証データＤは、付加データの改変の有無を検証するのに必要なデータである。
【００５３】
ステップＳ４０８：検証データＣおよびＤの生成が終了した後、メイン制御部１１０は、ＲＡＷ画像データ、付加データ、アルゴリズムデータＣ、位置データＣ、検証データＣ、アルゴリズムデータＤ、位置データＤおよび検証データＤなどを含むＲＡＷ画像ファイルを生成し、生成したＲＡＷ画像ファイルをメモリ１０４に書き込む。ＲＡＷ画像ファイルの構成の一例を図６に示す。
【００５４】
なお、本実施の形態における撮像装置１０では、１コマの画像データの撮像処理を高速に行うために、ステップＳ４０２からステップＳ４０５までの処理と並行して、ステップＳ４０６からステップＳ４０８までの処理を行うものとする。
【００５５】
また、ステップＳ４０２からステップＳ４０５までの処理はステップＳ２０５からステップＳ２０８までの処理と同様の処理であり、ステップＳ４０６からステップＳ４０８までの処理はステップＳ３０２からステップＳ３０４までの処理と同様の処理である。
【００５６】
ステップＳ４０９：ＲＡＷ画像ファイルおよびＪＰＥＧ画像ファイルの生成が終了した後、メモリインターフェース部１０５は、そのＲＡＷ画像ファイルおよびＪＰＥＧ画像ファイルをメモリ１０４から読み出し、読み出したＲＡＷ画像ファイルおよびＪＰＥＧ画像ファイルをリムーバブルメモリ１０６に記録する。
【００５７】
図７は、本実施の形態における第１の生成方法の一例を説明するフローチャートである。
ステップＳ７０１：メイン制御部１１０は、ハッシュ関数Ｈ１を用いてＪＰＥＧ画像データからハッシュ値Ａを演算する。
【００５８】
ステップＳ７０２：ハッシュ値を演算した後、メイン制御部１１０は、鍵データＫを用いてハッシュ値Ａを検証データＡに変換する。ここで、鍵データＫは、共通鍵暗号方式の共通鍵または公開鍵暗号方式の秘密鍵に相当するデータである。
【００５９】
ステップＳ７０３：メイン制御部１１０は、ハッシュ関数Ｈ１を用いてＪＰＥＧ画像データの付加データからハッシュ値Ｂを演算する。
ステップＳ７０４：ハッシュ値を演算した後、メイン制御部１１０は、鍵データＫを用いてハッシュ値Ｂを検証データＢに変換する。
【００６０】
図８は、本実施の形態における第２の生成方法の一例を説明するフローチャートである。
ステップＳ８０１：メイン制御部１１０は、ＲＡＷ画像データのハッシュ値を高速に生成するために、ハッシュ関数Ｈ１よりも高速なハッシュ関数Ｈ２を用いてＲＡＷ画像データからハッシュ値Ｃを演算する。
【００６１】
ステップＳ８０２：ハッシュ値を演算した後、メイン制御部１１０は、鍵データＫを用いてハッシュ値Ｃを検証データＣに変換する。ここで、鍵データＫは、共通鍵暗号方式の共通鍵または公開鍵暗号方式の秘密鍵に相当するデータである。
【００６２】
ステップＳ８０３：メイン制御部１１０は、ＲＡＷ画像データの付加データのハッシュ値を高速に生成するために、ハッシュ関数Ｈ１よりも高速なハッシュ関数Ｈ２を用いてＲＡＷ画像データの付加データからハッシュ値Ｄを演算する。
ステップＳ８０４：ハッシュ値を演算した後、メイン制御部１１０は、鍵データＫを用いてハッシュ値Ｄを検証データＤに変換する。
【００６３】
このように、本実施の形態における撮像装置１０によれば、撮像画像の画像データの記録方式に適した検証データ生成方法を選択することができる。
また、本実施の形態における撮像装置１０によれば、撮像画像の画像データを複数の異なる記録方式に従って一度に記録する場合であっても、各記録方式に適した検証データ生成方法を選択することができる。
【００６４】
また、本実施の形態における撮像装置１０によれば、ＪＰＥＧ画像データを記録する場合は、ＪＰＥＧ画像データおよびその付加データのそれぞれから検証データを生成することができるので、ＪＰＥＧ画像データの改変の有無および付加データの改変の有無を別々に検証することができる。
【００６５】
また、本実施の形態における撮像装置１０によれば、ＲＡＷ画像データを記録する場合は、ＲＡＷ画像データおよびその付加データのそれぞれから検証データを生成することができるので、ＲＡＷ画像データの改変の有無および付加データの改変の有無を別々に検証することができる。
【００６６】
また、本実施の形態における撮像装置１０によれば、記録方式がＲＡＷ方式またはＲＡＷ＋ＪＰＥＧ方式である場合は、ＲＡＷ画像データおよびその付加データから検証データを生成することができる。これにより、ＲＡＷ画像データおよびそのＲＡＷ画像データの付加データが改変されているか否かを検証することができる。
【００６７】
また、本実施の形態における撮像装置１０によれば、ＲＡＷ画像データを記録する場合は、画像調整データから検証データを生成しないようにすることができるので、画像調整データの変更を自由に行うことができる。
【００６８】
また、本実施の形態における撮像装置１０によれば、検証データの生成方法を示すデータであるアルゴリズムデータをＪＰＥＧ画像データまたはＲＡＷ画像データに付加することができるので、その検証データの生成方法を検証装置に通知することができる。
【００６９】
また、本実施の形態における撮像装置１０によれば、検証データが対象とするデータの所在を示すデータである位置データをＪＰＥＧ画像データまたはＲＡＷ画像データに付加することができるので、検証データが対象とするデータの所在を検証装置に通知することができる。
【００７０】
（他の実施の形態）
本発明は、上記の実施の形態に限定されるものではなく、様々な形態で実施することができる。
例えば、ＪＰＥＧ画像データおよびその付加データから１つの検証データを生成し、生成した検証データをＪＰＥＧ画像ファイルに付加することも可能である。
【００７１】
また、ＲＡＷ画像データおよびその付加データから１つの検証データを生成し、生成した検証データをＲＡＷ画像ファイルに付加することも可能である。
また、記録方式がＲＡＷ＋ＪＰＥＧ方式である場合は、ＲＡＷ画像ファイルに検証データＣおよびＤを付加し、ＪＰＥＧ画像ファイルに検証データＡおよびＢを付加しないようにすることも可能である。
【００７２】
【発明の効果】
本発明によれば、検証データの生成方法などを検証装置に通知することができる。
【図面の簡単な説明】
【図１】本実施の形態における撮像装置の主要な構成を示す図である。
【図２】本実施の形態における撮像装置の処理手順を示すフローチャートである。
【図３】本実施の形態における撮像装置の処理手順を示すフローチャートである。
【図４】本実施の形態における撮像装置の処理手順を示すフローチャートである。
【図５】本実施の形態におけるＪＰＥＧ画像ファイルの構成を示す図である。
【図６】本実施の形態におけるＲＡＷ画像ファイルの構成を示す図である。
【図７】本実施の形態における第１の生成方法の一例を説明する図である。
【図８】本実施の形態における第２の生成方法の一例を説明する図である。
【符号の説明】
１０　撮像装置
１０１　撮像部
１０２　撮像制御部
１０３　画像処理部
１０４　メモリ
１０５　メモリインターフェース部
１０６　リムーバブルメモリ
１０７　ネットワークインターフェース部
１０８　外部装置
１０９　表示部
１１０　メイン制御部
１１１　ユーザインターフェース部
【図１】
2004120117.tif 000003
【図２】
2004120117.tif 000004
【図３】
2004120117.tif 000005
【図４】
2004120117.tif 000006
【図５】
2004120117.tif 000007
【図６】
2004120117.tif 000008
【図７】
2004120117.tif 000009
【図８】
2004120117.tif 000010